(57)【要約】      （修正有）【課題】再生専用光ディスクと追記型光ディスクで同一フォーマットの重畳記録・再生ができるようにする。【解決手段】再生専用光ディスクだけでなく、記録型光ディスクに対しても同様の方法で重畳記録可能とするものである。さらに、重畳記録データが、通常記録データ読み取りや隣接トラックの重畳記録データの読み取りの際の誤認識誘発、隣接トラックのデータ書き込みやデータ消去の影響などを低減するため、重畳記録トラックの記録部分に並置する隣接トラック部分には重畳記録しないこととした。また、隣接トラックの記録読み取り時に重畳記録部分の信号が重畳されることを低減するために形状を隣接トラックに近くなるほど重畳部分のマーク長を小さくした。【選択図】図１
2009187620.tif 000002
【特許請求の範囲】
【請求項１】
トラックに沿って、二値のデータの列から成る主情報に対応した記録マーク又はピットが形成され、
二値のデータの列から成る副情報に対応して、上記マーク又はピットの長さ方向の一部において該マーク又はピットの幅が選択的に増大され、
これにより主情報に副情報が重畳記録されたトラックが形成された光ディスク。
【請求項２】
上記マーク又はピットの長さ方向の中央部分において、上記幅方向の増大がなされていることを特徴とする請求項１に記載の光ディスク。
【請求項３】
上記主情報に対応した記録マーク又はピットのうち、所定の長さ以上のものにおいてのみ、上記副情報に対応した上記幅の選択的増大がなされていることを特徴とする請求項１に記載の光ディスク。
【請求項４】
上記記録マーク又はピットの長さが記録を行うときの基準クロックの周期数で表わされ、上記所定の長さが、所定周期数の長さであることを特徴とする請求項３に記載の光ディスク。
【請求項５】
上記幅が増大した部分の長さが、１周期の長さ以上であることを特徴とする請求項３に記載の光ディスク。
【請求項６】
上記所定の長さ以上の記録マーク又はピットのうち、上記幅が部分的に増大されているものにより上記副情報を構成するデータの第１の値が表わされ、上記幅の部分的増大が行われていないものにより上記副情報を構成するデータの第２の値が表わされる
ことを特徴とする請求項３、４又は５に記載の光ディスク。
【請求項７】
上記重畳記録が行われたトラック部分に、上記光ディスクの径方向に隣接するトラック部分には、上記重畳記録が行われていないことを特徴とする請求項１に記載の光ディスク。
【請求項８】
上記重畳記録が行われたトラック部分と上記重畳記録が行われていないトラック部分が光ディスクの径方向に交互に配置されていることを特徴とする請求項７に記載の光ディスク。
【請求項９】
光ディスクのデータ記録領域が、光ディスクの径方向に延びた仮想直線により３以上の奇数個の区域に分割され、
スパイラル状に連続したトラックに沿って見たとき、一つの区域から次の区域に切り替わる度に、上記重畳記録された部分及び上記重畳記録されていない部分の一方から他方への切り替わりが起きるように、上記重畳記録された部分と上記重畳記録されていない部分とが交互に配置されていることを特徴とする請求項７に記載の光ディスク。
【請求項１０】
データ記録領域内において、上記重畳記録が行われたトラック部分と上記重畳記録が行われていないトラック部分が、スパイラル状の連続したトラックに沿って交互に配置され、
上記データ記録領域中のトラックの上記重畳記録された部分の各々が、上記データ記録領域の最内周における１周分のトラックよりも短い、一定の長さを有し、
上記データ記録領域中のトラックの上記重畳記録されていない部分の各々が、上記データ記録領域の最外周における１周分のトラックよりも長い、一定の長さを有する
ことを特徴とする請求項７に記載の光ディスク。
【請求項１１】
上記重畳記録されたトラック部分の長さ、及び上記重畳記録されていないトラック部分の長さがアクセス単位の長さの整数倍であることを特徴とする請求項１０に記載の光ディスク。
【請求項１２】
トラックに沿って相前後して現れる、上記重畳記録されたトラック部分及び上記重畳記録されていないトラック部分の長さの和がアクセス単位の２のｊ乗倍（ｊは１以上の整数）であることを特徴とする請求項１１に記載の光ディスク。
【請求項１３】
請求項１に記載の光ディスクを再生する装置において、
上記光ディスク上の上記記録マーク又はピットの有無及びその幅に応じた信号を出力する光学的読み取り手段と、
上記記録マーク又はピットの有無に応じて上記主情報に対応した二値信号を生成する第１の二値化回路と、
上記記録マーク又はピットの幅の増大した部分の有無に応じて上記副情報に対応した二値信号を生成する第２の二値化回路と
を備える光ディスク再生装置。
【請求項１４】
光ディスクに主情報と副情報とを重畳して記録する光ディスク記録装置において、
上記主情報に応じて、上記光ディスクに書き込むべきマーク及びマーク相互間のスペースの長さを決定し、上記副情報に応じて、上記マークの幅を部分的に増大させるか否かを決定し、これらの決定の結果に応じて、レーザーの発光パターンを決定して、レーザーを駆動する信号を生成する発光制御回路と、
上記発光制御回路の出力に応じた発光パターンで発光するレーザーを備えた光ヘッドと
を備える光ディスク記録装置。
【請求項１５】
上記発光制御回路が、副情報を形成するか否かに応じて、発光強度を変更するものであることを特徴とする請求項１４に記載の光ディスク記録装置。
【発明の詳細な説明】
【技術分野】
【０００１】
この発明は、光ディスク、光ディスク再生装置及び光ディスク記録装置に関するもので、たとえば、ＤＶＤ（デジタルバーサタイルディスク）、Ｂｌｕ−ｒａｙ  Ｄｉｓｃ、ＨＤ  ＤＶＤ等の光ディスクの作成に用いられる記録装置や記録方法、ＤＶＤ、Ｂｌｕ−ｒａｙ  Ｄｉｓｃ、ＨＤ  ＤＶＤ等の光ディスク、ＤＶＤプレーヤー等の光ディスク再生装置、それらのシステムに応用することができる。
【背景技術】
【０００２】
従来、光ディスク記録媒体の一種であるＤＶＤでは、所定の基本周期の整数倍の周期で変化する再生信号が得られるように、ピット若しくはマークの長さ、又はこれらの間隔を変化させることにより記録されている。
【０００３】
また、ＤＶＤディスクには、再生専用ディスク（ＲＯＭディスク）、１回だけ記録可能なディスク（ＤＶＤ−Ｒ、ＤＶＤ＋Ｒ）、記録消去が複数回可能なディスク（ＤＶＤ−ＲＷ、ＤＶＤ＋ＲＷ）などのディスクがあるが、いずれも再生装置ではほぼ同じように再生可能である。
【０００４】
一方、ＤＶＤに主たるデータ（本来記録、再生の対象であるデータ）に、副データを重畳して記録する方法が種々提案されている。重畳される副データの使用目的としては以下のものが挙げられる。
（ａ）ディスクとして、再生せずに目視で判別できる情報を記録する。
（ｂ）著作権保護等、違法な複製の防止を図る。
（ｃ）関連する付録情報を記録する。
【０００５】
具体的な重畳方法として、下記の特許文献１には、長いピットの途中を分割して短いスペースを入れる方法が記載されている。特許文献２には、ピットのエッジの位置や形状を微小量変位させて変調信号を重畳する方法が記載されている。特許文献３には、ピットの幅を大きくし、目視レベルで幅が大きくなった部分とそうでない部分を識別できるようにする方法が記載されている。特許文献４には、ピットの幅を変調させる方法が記載されている。
【０００６】
特許文献１の方法では、ピットを分割するため、分割により生じた２つのピットと、その間のスペースが誤認識される可能性がある。また、記録型ディスクでは、基本周期のスペース等の短いスペースを形成することが難しい。なお、再生専用ディスクでは、スペースに換えて、ピット幅を細くすることも考えられるが、記録型ディスクでは、マーク幅を小さく形成することが難しい。また、幅の狭いピット部分や幅の狭いマーク部分をスペースと誤認識する可能性が依然として残る。
【０００７】
特許文献２の方法では、ピットのエッジの位置や形状を微少量変位させるため、高精度の検出技術が必要である。記録型ディスクでは、微少量変位を正確に形成することが難しい。
特許文献３の方法では、目視情報としてのピットであるため、電子的な情報とするには、解読アルゴリズムを追加する必要がある。そのため、記録型ディスクでは、非常に実施困難である。
特許文献４の方法では、多数のピットに信号がまたがるため、誤認識しないように変調をある程度の長周期にする必要がある。そのため、記録型ディスクでは、実施が非常に困難である。
【０００８】
上記のように、いずれの方法も再生専用ディスクでは実施可能であるが、記録型ディスクで実現するためには、高精度の記録技術が必要となり、実際上きわめて困難であった。
【０００９】
【特許文献１】特開平１１−０２５６１３号公報
【特許文献２】特開２００１−３５７５３３公報
【特許文献３】特開平１１−１８５２５７号公報
【特許文献４】特開２０００−０４０２９７公報
【発明の開示】
【発明が解決しようとする課題】
【００１０】
このように重畳記録方式には、誤認識の可能性が比較的大きいと言う欠点や、再生専用ディスクにしか適用できないという制約があった。そのため、ＭＯＤ（Ｍａｎｕｆａｃｔｕｒｉｎｇ  ｏｎ  Ｄｅｍａｎｄ）のような受注販売やＤＶＤ−ｏｎ−Ｄｅｍａｎｄなどのキオスク販売といった、１回だけ記録可能な記録型ディスクに注文を受けてコンテンツを書き込むタイプの販売形態では、重畳記録を実現することが非常に難しいという問題点があった。
【００１１】
この発明は、上記のような問題点を解決するためになされたものであり、再生専用ディスク及び記録型ディスクに関して互換性のある重畳記録方式を得ることを目的としている。
【課題を解決するための手段】
【００１２】
この発明の光ディスクは、
トラックに沿って、二値のデータの列から成る主情報に対応した記録マーク又はピットが形成され、
二値のデータの列から成る副情報に対応して、上記マーク又はピットの長さ方向の一部において該マーク又はピットの幅が選択的に増大され、
これにより主情報に副情報が重畳記録されたトラックが形成されたものである。
【発明の効果】
【００１３】
この発明によれば、再生専用光ディスクだけでなく記録型光ディスクにおいても、読み取り互換性のある方法で重畳記録が可能となるので、再生専用光ディスクならびに記録型光ディスク間で互換性のある重畳情報記録を実現できる。従って、少量生産や受注後生産、ダウンロード販売等の記録型光ディスクについても再生専用光ディスクと同様の重畳情報記録ができ、互換性のある重畳情報記録が実現できると言う効果が得られる。
【発明を実施するための最良の形態】
【００１４】
実施の形態１．
図１は、本発明の実施の形態１による光ディスクのトラックにおける重畳記録パターンの一例を示す図である。図２は、図１の部分拡大図である。本発明で対象とする光ディスクは、例えばＤＶＤ−ＲＯＭディスクであり、スパイラル状のトラックが形成されているが、図１には、その一部の領域内の径方向に隣接する複数のトラック部分が示されている。なお、以下の説明で、連続したスパイラルトラックの一部、例えば１周分を単に「トラック」と言うこともあり、連続したスパイラルトラックの一部であることを強調するため、「トラック部分」と言うこともある。図１には、一つのトラック、例えばトラックｎ（径方向の内側からｎ番目のトラック）と、トラックｎに対して、径方向の外側に隣接するトラック、即ちトラックｎ＋１と、トラックｎに対して、径方向の内側に隣接するトラック、即ちトラックｎ−１とが示されている。各トラックの中心線が符号ＴＲＣで示されている。
【００１５】
本発明のディスクにおいては、二値のデータの列から成る主情報（主データ）のほか、二値のデータの列から成る副情報（副データ）が記録されている。
主情報は、トラックに沿って、該主情報に対応して形成されたピットＰＴ及びピットＰＴ相互間のスペースＳＳにより記録される。即ち、各ピットＰＴ及び各スペースＳＳは、基本単位長さＢＴの整数倍の長さを有する。基本単位長さは、記録を行う際のクロックの１周期に対応するものであるため、「周期」と呼ばれ、基本単位長さのｍ倍の長さは、「ｍ周期」或いは「ｍＴ」と表現されることもある。
【００１６】
副情報は、該副情報を構成する二値のデータに対応して、該ピットＰＴの長さ方向の一部において、該ピットＰＴの幅が選択的に増大されて、拡大部ＥＰを形成したパターンとして記録される。例えば、ピットＰＴの特定の位置において、幅が増大していれば、それにより、二値のうちの第１の値、例えば“１”が表され、ピットＰＴに幅が増大した部分が形成されていなければ、二値のうちの第２の値、例えば“０”が表される。
【００１７】
幅の増大は、例えばピットＰＴの長さ方向の中央部分ＣＴにおいてなされる。この場合、ピットＰＴが奇数周期分の長さを有する場合には、ピットＰＴの長さ方向の中心に位置する１周期分の部分を中央部分ＣＴとし、ピットＰＴが偶数周期分の長さを有する場合には、ピットＰＴの長さ方向の中心点の直前又は直後の１周期分の部分を中央部分とする。
【００１８】
図１に示す例では、径方向に互いに隣接した複数のトラック部分のいずれにも、幅が増大したピットＰＴが形成されている。
各トラック部分のピットＰＴの幅が符号ＷＤで示され、径方向に隣接するトラック部分のピットＰＴ相互間の間隔が符号ＧＭで示されている。
【００１９】
ピットＰＴの幅を増大させた部分、すなわち拡大部ＥＰには、ピットＰＴの両側（光ディスクの径方向外側及び内側）に、突出部ＰＲが形成されている。
この突出部ＰＲの長さ（トラックの長さ方向の寸法）は、１周期ＢＴ以上である。これにより、光ディスクの再生の際、突出部ＰＲが確実に検出され、突出部ＰＲにより表されるデータが読み込まれる。
また、この突出部ＰＲの突出量即ち高さＷｐｒ（光ディスクの径方向の寸法）は、上記間隔ＧＭの１／２又はこれより若干小さい。若干小さくするのは、径方向に隣接するトラック部分同士で、突出部ＰＲが互いに接触し或いは重なり合うのを防ぐためである。
【００２０】
図３は、重畳記録パターンの異なる例を示す。
図３に示す重畳記録パターンにおいては、主情報に対応したピットＰＴのうち、所定の長さ以上のもの（符号ＰＴ（Ｌ）で示す）においてのみ、副情報に対応した上記幅の選択的増大がなされており、所定の長さよりも短いもの（符号ＰＴ（Ｓ）で示す）には、副情報に対応した上記幅の選択的増大がなされていない。例えば、６周期以上のピットにおいてのみ、副情報による幅の選択的増大がなされている。この場合、所定の長さ以上（例えば６周期以上）のピットのうち、特定の位置（例えば中央部分）に幅の選択的増大がなされていれば、その部分は、副情報の二値のデータのうちの第１の値、例えば“１”を表し、幅の選択的増大がなされていなければ、副情報の二値のデータのうちの第２の値、例えば“０”を表す。所定の長さよりも短いピットは、副情報の二値のデータのいずれをも表さない。言い換えれば、副情報の記録には用いられていない。
【００２１】
図１に示す重畳記録パターンでは、トラックｎのピットＰＴの突出部ＰＲと、トラックｎ＋１やトラックｎ−１のピットＰＴの突出部ＰＲとが、ディスクの径方向に整列し、あるいは整列に近い関係となり、互いに近接し合う箇所が生じる。このため、トラッキングに影響を及ぼす恐れがある。
また、トラックｎの突出部ＰＲが形成されていないピットＰＴ０やスペースＳＳの中には、隣接するトラックｎ＋１やトラックｎ−１の突出部ＰＲが近接する箇所が発生する可能性がある。これも、トラックｎの主データＭＤの読み取りエラーの発生やジッタ値が大きくなる要因となる。
【００２２】
これに対して、図３の構成であれば、隣接するトラック同士で、突出部ＰＲが互いに近接し合う確率が低くなる。例えば、図３に示されるように、トラックｎの突出部ＰＲとトラックｎ＋１やトラックｎ−１の突出部ＰＲとが近接し合う箇所が大幅に減少する。
【００２３】
図４は、重畳記録パターンのさらに他の例を示す。
図４に示される例では、重畳記録が行われたトラック部分（１周分のトラック）と重畳記録が行われていないトラック部分（１周分のトラック）が光ディスクの径方向に交互に、言い換えると１周おきに配置されている。
例えば、図示のように、トラックｎには、重畳記録が行われており、隣接するトラックｎ−１及びトラックｎ＋１には重畳記録が行われていない。
【００２４】
図５は、図４のように重畳記録が行われたトラック部分と、重畳記録が行われていないトラック部分が１周おきに配置された光ディスクの全体的構成を概略的に示す。図５において、重畳記録されたトラック部分２は実線で示され、重畳記録されていないトラック部分３は点線で示されている。図４のトラックｎ、トラックｎ−１、トラックｎ＋１に相当するトラックに符号ｎ、ｎ−１、ｎ＋１が付されている。
このように構成することにより、隣接トラック間で、突出部ＰＲが互いに近接する箇所が生じるのを回避することができる。
【００２５】
図６は、重畳記録パターンのさらに他の例を示す。
図６に示す例でも、図４に示す例と同様に、重畳記録が行われたトラック部分（１周分のトラック）と重畳記録が行われていないトラック部分（１周分のトラック）が光ディスクの径方向に交互に、言い換えると１周おきに配置されている。例えば、図示のように、トラックｎには、重畳記録が行われており、隣接するトラックｎ−１及びトラックｎ＋１には重畳記録が行われていない。
【００２６】
さらに、図６に示す例では、突出部ＰＲの高さＷｐｒが、径方向に隣接するトラック部分のピットＰＴ相互間の間隔ＧＭの３／４程度に設定されている。
但し、この寸法は一例であって、以下の点を考慮して適宜定め得る。
即ち、突出部ＰＲにおける信号強度（或いはピットＰＴのうち突出部ＰＲが付加された部分以外の部分との差異）をより大きくする（それにより副情報を構成する二値データの読み取りをより確実に行う）には、突出部ＰＲが高いほど良い。図１や図３に示す例では、突出部ＰＲの高さＷｐｒは、径方向に隣接するトラック部分のピットＰＴ相互間の間隔ＧＭの１／２よりも小さい値に制限されているが、図４や図６のように、重畳記録が行われたトラック部分と重畳記録が行われていないトラック部分が光ディスクの径方向に隣接しない配置の場合には、突出部ＰＲの高さＷｐｒを間隔ＧＭの１／２よりも大きくすることができる。一方、一つのトラックのピットＰＴの突出部ＰＲが隣接するトラックのピットＰＴに接触し或いは重なるのを防ぐためには、突出部ＰＲの高さＷｐｒを、径方向に隣接するトラック部分のピットＰＴ相互間の間隔ＧＭよりも若干小さい値以下にする必要がある。そこで、突出部ＰＲの高さＷｐｒは、間隔ＧＭの１／２より大きく、間隔ＧＭよりも若干小さい値以下にするのが望ましい。
【００２７】
図６に示す例ではさらに、突出部ＰＲを含む拡大部ＥＰが、トラックの中心を中心とする略円形を成すように形成されている。そして、拡大部ＥＰのうち、ピットＰＴからはみ出した部分が突出部ＰＲを構成している。その結果、トラックの中心から離れるほど、即ち隣接トラックに近づくほど、突出部ＰＲの長さ（トラックの長さ方向の寸法）がより小さくなっている。
【００２８】
以上のように、突出部ＰＲの高さＷｐｒを大きくすることで、その部分から生成される信号の強度をより大きくすることができ、副情報を構成するデータの検出をより確実に行うことができる。
【００２９】
また、突出部ＰＲを含む略円形の拡大部ＥＰの直径は、読み出し用のレーザーのスポットに略等しいのが望ましい。そのようにすれば、拡大部ＥＰでは、読み出し用のレーザーのスポットの中心が、円形の拡大部ＥＰの中心に一致したときに特に最も大きな信号が得られる。
【００３０】
一方、突出部ＰＲの形状は、隣接するトラックに近づくほどその長さ（トラックの長さ方向の寸法）が小さくなるものであるので、隣接するトラック（トラックｎ−１及びトラックｎ＋１）における、主データＭＤの読み取りに対する影響が小さい。
また、一般に、同一反射率のデータ面に対しては、レーザーの読み取りスポットの中心に近いほど、信号強度が大きくなる。この関係は、ガウス分布関数に近似され、距離が遠くなると、信号強度が極端に小さくなる。この現象と突出部ＰＲの形状が円形である効果とにより、トラックｎ−１及びトラックｎ＋１で主データＭＤを読み取る場合のトラックｎの突出部ＰＲの信号の入り込みは、主データＭＤの“０”、“１”の判定閾値の設定変更で対応できるレベルに抑えることができ、主データＭＤの読み取り誤りを防ぐことが可能となる。
【００３１】
図７、図８及び図９は、重畳記録パターンのさらに他の例を示す。
これらの例においても、図４に示す例と同様に、重畳記録が行われたトラック部分と重畳記録が行われていないトラック部分が光ディスクの径方向に交互に、言い換えると１周おきに配置されている。例えば、図示のように、トラックｎには、重畳記録が行われており、隣接するトラックｎ−１及びトラックｎ＋１には重畳記録が行われていない。
【００３２】
また、図６に示す例と同様に、突出部ＰＲの高さ（光ディスクの径方向の寸法）Ｗｐｒが、間隔ＧＭよりも若干小さい値、例えば間隔ＧＭの３／４程度となっており、さらに、トラックの中心から離れるほど、即ち隣接トラックに近づくほど、突出部ＰＲの長さ（トラックの長さ方向の寸法）がより小さくなっている。
【００３３】
図７、図８及び図９に示す例では、突出部ＰＲの形状が、隣接トラック（トラックｎ＋１やトラックｎ−１）に近づくほど細くなる（トラックの長さ方向の寸法が小さくなる）先細形状のものとなっている。
【００３４】
図７に示す例及び図８に示す例は、いずれも突出部ＰＲが略三角形状であるが、図８の例のほうが図７の例よりも、より鋭角的に尖っている。
図９に示す例では、突出部ＰＲが、台形状の基底部ＰＲｂとその上に配置された三角形状の部分ＰＲｔとで構成されている。
【００３５】
なお、図６に示した、突出部ＰＲの形状が円形の場合も、「突出部ＰＲの形状が隣接トラックに近づくほど細くなる先細形状のもの」の一種であると言える。
【００３６】
なお、図３に示す例では、６周期以上の長周期ピットＰＴに限定して突出部ＰＲを選択的に付加することにしたが、それより長い（それより多い周期数）のピットＰＴに限って突出部ＰＲを選択的に付加することとしても良く、あるいは特定の長さ（特定の周期数）のピットＰＴに限って突出部ＰＲの選択的付加を行うこととしても良い。ただし、このように、突出部ＰＲを付加し得るピットＰＴを限定すればするほど、副情報の記録容量が小さくなるので、両事項を勘案する必要がある。
【００３７】
以上、ＤＶＤ−ＲＯＭの場合について述べたが、本発明は、Ｂｌｕ−ｒａｙ  Ｄｉｓｃ（以下ＢＤ）  ＲＯＭやＨＤ  ＤＶＤ−ＲＯＭなどの高密度光ディスクにも適用可能である。
【００３８】
また、本実施の形態の光ディスクに対応した再生装置や再生システムは、通常の光ディスク再生装置や再生システムに、副情報を判定し読み取る機能を追加することで実現可能である。
【００３９】
図１０は、そのような再生装置の一例を概略的に示す。図１０において、再生装置１００は、図３に示すように、所定の長さ以上のピットＰＴにのみ突出部ＰＲが選択的に付加された光ディスク１０２を再生するものである。
【００４０】
光ディスク１０２は、スピンドルモータ１０４によって駆動されて回転する。スピンドルモータ１０４は、サーボ回路１０６によって所定の速度で回転するように制御される。光ピックアップ１１０は、トラバースモータ１１２により駆動されてディスク１０２の径方向に移動する。トラバースモータ１１２は、サーボ回路１０６により光ピックアップ１１０をディスク１０２の径方向に移動させるために制御される。
【００４１】
光ピックアップ１１０は、光学的読み取り手段として機能するものであり、光ピックアップ１１０は、光ディスク１０２上のピットＰＴの有無及びその幅に応じた再生信号Ｓａを出力する。
【００４２】
図１１（ａ）〜（ｄ）に、そのような再生信号Ｓａの一例を、対応するピット列とともに示す。図１１（ａ）は、ピット列の一例を示し、図面で右側のピットＰＴは突出部ＰＲを備え、左側のピットＰＴは突出部ＰＲを備えていない。ピットＰＴはともに７Ｔの長さであり、突出部ＰＲは１Ｔの長さであるものとしている。
【００４３】
図１１（ｂ）は、図１１（ａ）のピット列を再生したときに得られる再生信号Ｓａを示す。ピットＰＴの部分（突出部ＰＲが付加された部分（拡大部ＥＰ）以外の部分）では信号Ｓａが、スペースＳＳの部分よりも高いレベルとなり、突出部ＰＲの部分では、信号Ｓａがさらに高いレベルとなる。
【００４４】
図１０の主情報二値化回路（第１の二値化回路）１２２は、図１１（ｂ）に示される再生信号を第１のスライスレベルＳＬ１で二値化して、図１１（ｃ）に示される第１の二値信号Ｓｂを生成し、第２の二値化回路１２４は、図１１（ｂ）に示される再生信号Ｓａを第２のスライスレベルＳＬ２で二値化して、図１１（ｄ）に示される第２の二値信号Ｓｃを生成する。
【００４５】
第１のスライスレベルＳＬ１は、信号ＳａのピットＰＴ部分におけるレベルよりも低く、信号ＳａのスペースＳＳにおけるレベルよりも高い。従って、第１の二値信号Ｓｂは、ピットＰＴの有無を示すものであり、ピットＰＴの部分では、Ｈｉｇｈレベルとなり、スペースＳＳの部分ではＬｏｗレベルとなる。
【００４６】
第２のスライスレベルＳＬ２は、突出部ＰＲの付加された部分（拡大部ＥＰ）における信号Ｓａのレベルよりも低く、ピットＰＴのうち、突出部ＰＲが付加されていない部分における信号Ｓａのレベルよりも高い。従って、第２の二値信号Ｓｃは、突出部ＰＲの有無を示すものであり、突出部ＰＲの付加された部分では、Ｈｉｇｈレベルとなり、突出部ＰＲが付加されていない部分ではＬｏｗレベルとなる。
【００４７】
第１の二値信号Ｓｂは、主情報再生回路１２６に供給され、第２の二値信号Ｓｃは、副情報再生回路１２８に供給される。
主情報再生回路１２６は、第１の二値信号Ｓｂに基づいて主情報Ｄｍを再生するとともに、各ピットＰＴが所定の長さ（例えば６Ｔ）以上のものであったか否かを示す判定信号ＬＰ及びそのピットＰＴの中央（長さ方向の中心）を示すタイミング信号ＴＣを出力する。
【００４８】
副情報再生回路１２８は、第２の二値信号Ｓｃ、判定信号ＬＰ及びタイミング信号ＴＣに基づいて、副情報を再生する。即ち、判定信号ＬＰによりピットＰＴの長さが所定値以上であることが示され、タイミング信号ＴＣが出力されたタイミングで、第２の二値信号ＳｃがＨｉｇｈレベルのときは、Ｈｉｇｈレベルの信号（第１の値、例えば“１”を表す）を、再生二値データとして生成し、判定信号ＬＰによりピットＰＴの長さが上記所定値以上であることが示され、タイミング信号ＴＣが出力されたタイミングで、第２の二値信号ＳｃがＬｏｗレベルのときは、Ｌｏｗレベルの信号（第２の値、例えば“０”を表す）を、再生二値データとして生成する。
判定信号ＬＰによりピットＰＴの長さが所定値未満であることが示されるときは、第２の二値信号Ｓｃが如何なる値であっても、再生二値データを出力しない。
副情報再生回路１２８はこのようにして生成された再生二値データをつなぎ合わせて副情報Ｄｓを生成する。
【００４９】
実施の形態２．
図１２は、本発明の実施の形態２の光ディスクを示す。
実施の形態２に示される光ディスクは、そのデータ記録領域が、光ディスクの径方向に延びた仮想直線により３以上の奇数個の区域に分割され、スパイラル状に連続したトラックに沿って見たとき、一つの区域から次の区域に切り替わる度に、重畳記録されたトラック部分及び重畳記録されていないトラック部分の一方から他方への切り替わりが起きるように、重畳記録された部分と重畳記録されていない部分とが交互に配置されている。言い換えると、トラックに沿って、仮想境界線の一方の側に重畳記録された部分が配置され、他方の側には重畳記録されていない部分が配置されておらず、区域間の境界部分以外では、重畳記録されたトラック部分と重畳記録されていないトラック部分との切り替わりが起きないように構成されている。
【００５０】
図１２に示される例では、データ記録領域ＤＲが、光ディスクの径方向に延びた３本の仮想直線ＲＳ１、ＲＳ２、ＲＳ３により３個の区域ＦＡ、ＦＢ、ＦＣに分割され、スパイラル状に連続したトラックＴＲに沿って見たとき、一つの区域（ＦＡ、ＦＢ、ＦＣのいずれか）から次の区域（ＦＡ、ＦＢ、ＦＣの他のもの）に切り替わるたびに、重畳記録されたトラック部分２及び上記重畳記録されていないトラック部分３の一方から他方への切り替わりが起きるように、重畳記録されたトラック部分２と重畳記録されていないトラック部分３とが交互に配置されている。
【００５１】
このような配置によれば、データ記録領域を区域分割して使用する場合に、重畳記録されたトラック部分２と重畳記録されていないトラック部分３の境界を区域境界に一致させることができ、区域分割と関連付けて、重畳記録を行うトラック部分と行わないトラック部分の設定を区域分割と関連付けて行うことができる。例えば、重畳記録されたトラック部分２の集合を、共通の役割を持つトラックの群として取り扱うことが容易となり、また区域特有の情報を区域ごとに重畳記録することなどが可能となる。
【００５２】
また、本実施の形態の光ディスクに対応した再生装置や再生システムも、実施の形態１について述べたのと同様に、通常の光ディスク再生装置や再生システムに、副情報を判定し読み取る機能を追加することで実現可能である。
【００５３】
実施の形態３．
実施の形態１及び実施の形態２では、本発明をＤＶＤ−ＲＯＭに適用しているが、本発明を追記型光ディスクであるＤＶＤ−Ｒディスク、ＤＶＤ＋Ｒディスクに適用することも可能である。追記型光ディスクの場合、上記の実施の形態のピットの代わりに、記録マークに対して、幅を増大した部分を形成することで副情報の重畳記録を行う。
【００５４】
このようにすれば、ＤＶＤ−ＲＯＭと、ＤＶＤ−Ｒ、ＤＶＤ＋Ｒの読み取り互換の光ディスクにおいて、同じ方法で、重畳記録データを記録でき、また読み取ることが可能となるため、重畳記録においても互換性を確保することができる。
【００５５】
従って、ＭＯＤ（Ｍａｎｕｆａｃｔｕｒｉｎｇ  ｏｎ  Ｄｅｍａｎｄ）やＤＶＤ−ｏｎ−Ｄｅｍａｎｄなどのキオスク販売などの、ＤＶＤ−Ｒディスク、ＤＶＤ＋Ｒディスクのような追記型光ディスクに注文を受けてコンテンツを書き込むタイプの販売の形態で、従来のＤＶＤ−ＲＯＭディスクと互換性のある重畳記録を実現することができる。
【００５６】
ＤＶＤ−Ｒディスク、ＤＶＤ＋Ｒディスクには、トラックを把握できるようにグルーブが形成されている。グルーブは、ディスク回転モータの回転制御の基準信号などのために一定周波数で蛇行（ウォブル）している。図１３に色素を使用したＤＶＤ−Ｒディスク、ＤＶＤ＋Ｒディスクの断面構造を概略的に示す。
【００５７】
図１３のディスクを形成するには、例えば、透明基板５上にレーザー光入射側４となる側（図１３で下側）とは反対の側にグルーブ６を形成する。そのグルーブ６上の表面に記録層となる色素層７をスピンコート等で形成する。その後、反射層８となる銀合金等の金属薄膜をスパッタリング等で形成する。さらにその上に保護層９を形成し、その後、別の透明基板１０を接着層１１によって接着する。このようにして形成されたＤＶＤ−Ｒディスク、ＤＶＤ＋Ｒディスクにおいては、色素層７が通常全面に形成されるため、グルーブ６の外部にも存在する。
【００５８】
図１３の光ディスクにおける、重畳記録されたトラック部分（トラックｎ）と、それに隣接する、重畳記録されていないトラック部分（トラックｎ＋１、トラックｎ−１）を図１４（ａ）及び（ｂ）に概略的に示す。図１４（ａ）は平面図、図１４（ｂ）は図１４（ａ）のＡ−Ａ’線断面図である。これらの図において、図１３と同一の符号は対応する部分を示す。
【００５９】
ＤＶＤ−Ｒディスク、ＤＶＤ＋Ｒディスクでは、グルーブ６に記録するオングルーブ記録方式が採用されている。この場合、記録されるマークＭＫは、蛇行したグルーブ６からはみ出さないように形成する。マークＭＫを正確に記録するには、マークＭＫの幅をグルーブ６の幅に比べて小さくし、さらに蛇行によるグルーブの縁がトラック中心線へ接近した部分においても、マークＭＫがグルーブ６からはみ出さないようにマークＭＫの幅を十分小さくする必要がある。
【００６０】
重畳記録されたトラックｎにおいて、突出部ＰＲが、記録マークＭＫよりも直径の大きい円形状部分のうち、記録マークＭＫからはみ出した部分により形成されている。言い換えると、突出部ＰＲと突出部ＰＲが形成された記録マークＭＫの組み合わせである拡大部ＥＰが円形に形成されている。
突出部ＰＲの一部ＰＲｉは、グルーブ６の内部に形成され、他の一部（クロスハッチングで示す）ＰＲｅは、グルーブ６の外の形成されている（即ち、グルーブ６からはみ出している）。突出部ＰＲのうち、グルーブ６の外に形成された部分ＰＲｅは、マークＭＫとしての機能（信号レベルを上昇させる機能）は多少損なわれる。しかし、マークＭＫのうちの突出部ＰＲが付加された部分の信号強度は、突出部ＰＲが付加されていない部分と比較して十分大きくなるので問題ない。
【００６１】
ＨＤ  ＤＶＤ−Ｒディスクは、高密度ディスクであるが、基本構造は、ＤＶＤ−Ｒディスクと同じであるので、上記したのと同様に本発明を適用することができる。
【００６２】
本実施の形態のＤＶＤ−ＲディスクやＤＶＤ＋Ｒディスクに対応した記録装置や記録システムは、通常のＤＶＤ−ＲディスクやＤＶＤ＋Ｒディスクに対応した記録装置や記録システムに、重畳記録部分の記録機能を追加することで実現可能である。
【００６３】
図１５は、上記のような追記型光ディスクの記録装置の一例を示す。図示の記録装置は、光ディスクに主情報と副情報とを重畳して記録するものである。
【００６４】
光ディスク２０２がスピンドルモータ２０４によって駆動されて回転する。スピンドルモータ２０４は、サーボ回路２０６によって所定の速度で回転するように制御される。光ヘッド（ピックアップ）２１０は、トラバースモータ２１２により駆動されてディスク２０２の径方向に移動する。トラバースモータ２１２は、サーボ回路２０６により光ヘッド２１０をディスクの径方向に移動させるために制御される。
【００６５】
光ヘッド２１０は、記録用レーザービームを発するものであり、発せられるレーザービームの発光パターンは、発光制御回路２２４により制御される。
発光制御回路２２４は、主情報生成回路２２６からの主情報Ｅｍと副情報生成回路２２８からの副情報Ｅｓに基づいてレーザービームの発光パターンを制御する信号Ｓｄを出力する。主情報生成回路２２６は、例えば外部から供給される映像データ、音声データなどを受けて、これらを（必要に応じてデータ形式を変換して）主情報として出力する。副情報生成回路２２８は、例えば外部から供給される付随記録データ（映像データ、音声データなどに重畳記録すべきデータ）を受けて、これを（必要に応じてデータ形式を変換して）副情報として出力する。
【００６６】
発光制御回路２２４は、主情報Ｅｍに応じて、光ディスクに書き込むべきマークＭＫ及びマーク相互間のスペースＳＳの長さを決定し、副情報Ｅｓに応じて、マークＭＫを部分的に増大させるか否か（突出部ＰＲを形成するか否か）を決定し、これらの決定の結果に応じてレーザーの発光パターンを決定して、レーザーを駆動する信号を生成する。マークＭＫ及びスペースＳＳの長さは、所定の基本周期の整数倍とされ、マークＭＫの部分的に増大させる部分の長さ（突出部ＰＲの長さ）は、所定の基本周期の長さとされる。
【００６７】
例えば、レーザーの発光パルスパターンは、形成されるマークＭＫの長さ及びマークＭＫ相互間のスペースＳＳの長さに応じて決定され、突出部ＰＲを形成すべき部分では、突出部ＰＲを形成しない部分に比べ発光強度を大きくされる。
なお、突出部ＰＲを形成すべきか否かに応じて、発光パルスパターンを変えるようにしても良い。
【００６８】
この場合、図３などを参照して説明したのと同様に、所定長以上のマークにのみ、重畳記録を行う場合には、主情報により所定長以上のマークを形成するときにのみ、副情報に応じて突出部ＰＲを選択的に形成する。このような構成により、主情報と副情報とを重畳記録することができる。
【００６９】
実施の形態４
実施の形態３では、ＤＶＤ−Ｒ／ＤＶＤ＋Ｒディスクについて説明した。本発明は、ＢＤ−Ｒディスクについても適用可能である。以下、ＢＤ−Ｒディスクに適用した場合について説明する。
【００７０】
ＢＤ−Ｒディスクにおいても、トラックを把握できるようにグルーブが形成されており、また一定周波数での蛇行（ウォブル）も形成されている。ＢＤ−Ｒディスクでは、ＤＶＤ−Ｒディスクと同様にグルーブにマークを記録するが、光ディスクシステムの構成上の理由から、レーザーの入射方向が、ＤＶＤ−Ｒディスクとは反対である。
【００７１】
図１６に色素を使用したＢＤ−Ｒディスクの断面構造を概略的に示す。図１６のディスクを形成するには、例えば、透明基板５のレーザー光入射側４となる側の面にグルーブ６を形成する。その後グルーブ６を形成した側の表面に反射層８となる銀合金等の金属薄膜をスパッタリング等により形成する。その後、記録層となる色素層７をスピンコート等で形成する。この際、スピンコートの条件を最適化することで、色素層７をグルーブ６にのみ形成することができる。さらにその上に保護層９を形成し、その後、カバー層１２をスピンコート等で形成する。このようにして、色素層７はグルーブ６のみに形成される。
【００７２】
本実施の形態の光ディスクにおける、重畳記録されたトラック部分（トラックｎ）と、それに隣接する、重畳記録されていないトラック部分（トラックｎ＋１、トラックｎ−１）を図１７（ａ）、（ｂ）及び（ｃ）に示す。図１７（ａ）は平面図、図１７（ｂ）及び図１７（ｃ）はそれぞれ図１７（ａ）のＢ−Ｂ’線断面図及びＣ−Ｃ’断面図である。これらの図において、図１６と同一の符号は対応する部分を示す。
【００７３】
ＢＤ−Ｒディスクへのグルーブ記録方式は、イングルーブと呼ばれている。色素を使用したＢＤ−Ｒディスクでは、上記の構造であるため、
グルーブ６の両サイドの壁を構成する反射層８が設けられており、スピンコート条件を最適化することにより、グルーブ６の外部には、色素層が形成されないようにすることができる。また、レーザー光の照射は、カバー層１２側からとなる。従って、イングルーブ記録方式では、グルーブ６の両サイドの壁を構成する反射層８による熱の閉じ込め効果と色素のグルーブ６内への偏在効果（ディスクに色素をスピンコートする際に最適な回転数にすると、グルーブ部分には色素が溜まり存在し、ランド部分には遠心力によって色素が存在しなくなること）により、マークＭＫはグルーブ６内にのみ形成される。
一方、マークＭＫの大きさ(幅)は、レーザー照射強度に応じて変化し、マークＭＫの大きさ(幅)の制御が可能である。レーザー照射強度が大きくなるとマークの幅も大きくなることを利用すれば、グルーブ６内の色素層７の存在する領域の幅全体に及び突出部ＰＲの形成が可能となる。
【００７４】
突出部ＰＲを形成した部分のマーク幅をグルーブ６内の色素層７の幅全体まで大きくするには、レーザー照射強度を通常マーク形成時より十分に大きくする必要がある。その際、突出部ＰＲを形成した部分（拡大部ＥＰ）のマーク幅はグルーブ６内にとどまるが、レーザー照射強度が大きい場合、熱伝播は、グルーブ６の外、場合によっては、隣接グルーブにまで及ぶ。従って、隣接グルーブの色素層にも熱履歴が残る可能性がある。その影響で、隣接グルーブに通常マーク記録する(突出部ＰＲを付加しない)場合でも、熱履歴の影響を受け、隣接トラックにおいて、副情報が重畳記録されている（突出部が形成されている）と誤認識される恐れがある。このような誤認識が起きるのを避けるためには、重畳記録されたトラック（グルーブ）に隣接するトラック（グルーブ）には、重畳記録しないとの規則に従って記録を行うこととし、各トラック部分が重畳記録するトラック部分か重畳記録しないトラック部分かが上記の規則により別途認識可能としておく方法が有効であり、図１７（ａ）、（ｂ）及び（ｃ）に示す例もそのような規則に従うものである。
【００７５】
図１７（ａ）、（ｂ）及び（ｃ）において、トラックｎは、重畳記録するトラック部分であり、隣接トラック部分であるトラックｎ−１、トラックｎ＋１は、重畳記録せず、通常記録のみのトラックである。重畳記録するトラック部分と重畳記録しないトラック部分とが識別できるので、仮にトラックｎ−１やトラックｎ＋１においてトラックｎの重畳パターン形成時の熱履歴により副情報による突出部ＰＲが形成されていると誤認識されるような再生信号が得られたとしても、重畳記録されるトラックかどうかを識別できるので、誤認識を避けることができる。
【００７６】
本実施の形態のＢＤ−Ｒディスクに対応した記録装置や記録システムも、実施の形態３について述べたのと同様に、通常のＢＤ−Ｒディスクに対応した記録装置や記録システムに、重畳記録部分の記録機能を追加することで実現可能である。
【００７７】
実施の形態５．
図１８は、本発明の実施の形態５の光ディスクを示す。
図１８に示される光ディスクは、データ記録領域ＤＲ内において、重畳記録が行われたトラック部分と重畳記録が行われていないトラック部分が、スパイラル状の連続したトラックに沿って交互に配置され、データ記録領域ＤＲ中のトラックの、重畳記録された部分の各々（一連の、副情報の内容に応じて重畳記録される可能性のあるトラック部分、即ち、「１単位の重畳記録されたトラック部分」）が、データ記録領域ＤＲの最内周ＤＲＩにおける１周分のトラックよりも短い、一定の長さを有し、データ記録領域ＤＲ中のトラックの、重畳記録されていない部分の各々（一連の、副情報の如何に拘わらず、重畳記録されることのないトラック部分、即ち、「１単位の重畳記録されていないトラック部分」）が、データ記録領域ＤＲの最外周ＤＲＯにおける１周分のトラックよりも長い、一定の長さを有するように記録されたものである。
【００７８】
このような構成であると、重畳記録されたトラック部分に、径方向の外側及び内側において隣接する両トラック部分はともに重畳記録されないトラック部分となる。
実施の形態５の光ディスクではさらに、重畳記録されたトラック部分の各々（１単位の重畳記録されたトラック部分）の長さ、及び重畳記録されていないトラック部分の各々（１単位の重畳記録されてないトラック部分）の長さがアクセス単位の長さの整数倍に設定されている。このようにすることで、光ディスクへのアクセスも容易となる上、アクセス単位と関連付けた重畳記録が実現できる。
【００７９】
以下、Ｂｌｕ−ｒａｙ  ｄｉｓｃ規格についての適用例を説明する。
Ｂｌｕ−ｒａｙ  Ｄｉｓｃ  ＲＯＭ規格及びＢｌｕ−ｒａｙ  Ｄｉｓｃ  Ｒｅｃｏｒｄａｂｌｅ規格では、アクセス単位が、フィジカルクラスタ（Ｐｈｙｓｉｃａｌ  Ｃｌｕｓｔｅｒ）に２個のリンクフレーム（Ｌｉｎｋ  Ｆｒａｍｅ）を加えた大きさである。具体的には、４９６＊１９３２チャンネルビット＋２＊１９３２チャンネルビット＝４９８＊１９３２＝９６２１３６チャンネルビットである。１層あたり２５ＧＢの記録容量のディスク仕様では、１チャンネルビットの長さが、７４．５ｎｍであるので、長さは、約７１．７ｍｍである。
【００８０】
Ｂｌｕ−ｒａｙ  Ｄｉｓｃの外形概略とデータ記録領域寸法は、図１８に示す通りである。Ｂｌｕ−ｒａｙ  Ｄｉｓｃでは、データ記録領域ＤＲの最内周ＤＲＩは、直径４８ｍｍであるので、１周の長さは、約１５０．８ｍｍである。データ記録領域ＤＲの最外周ＤＲＯは、直径１１６．２ｍｍであるので、１周の長さは、約３６５．１ｍｍである。従って、図１９に示すように、重畳記録するトラック部分２と重畳記録しないトラック部分３とを、トラックの長さ方向に沿って交互に配置し、重畳記録するトラック部分２の長さをデータ記録領域ＤＲの最内周ＤＲＩの円周よりも短い、一定の値に設定し、重畳記録しないトラック部分３の長さをデータ記録領域ＤＲの最外周ＤＲＯの円周よりも長い、一定の値に設定すれば、重畳記録されたトラック部分２に、ディスクの径方向の外側及び内側に隣接する両トラック部分はともに重畳記録されていないトラック部分３になる。
【００８１】
さらに、重畳記録するトラック部分２の長さを上記のアクセス単位である９６２１３６チャンネルビットの２倍に相当する約１４３．４ｍｍとし、重畳記録しないトラック部分３の長さを上記のアクセス単位である９６２１３６チャンネルビットの６倍に相当する約４３０．１ｍｍとする。こうすれば、重畳記録するトラック部分２と、重畳記録しないトラック部分３とはともに、光ディスク規格に規定されたアクセス単位の整数倍の長さに設定されるので、光ディスクへのアクセスも容易となり、さらに、アクセス単位と関連付けた重畳記録が実現できる。
【００８２】
さらに、この例では、１単位の重畳記録するトラック部分２の長さと１単位の重畳記録しないトラック部分３の長さの和は、アクセス単位の８（２の３乗）倍に相当する。このようにすれば、重畳記録するトラック部分２の先頭位置のアドレス、或いは重畳記録しないトラック部分３の先頭位置のアドレスの算出が容易となる。なお、アクセス単位の２の３乗倍に限らず、２のｊ乗倍（ｊは整数）とすれば同様の効果が得られる。
【００８３】
また、上記の例は、データ記録領域について示したが、他の記録領域、例えば制御情報領域や付随情報領域についても同様の考え方で重畳記録可能である。
【００８４】
さらにまた、データ記録領域を半径方向に複数のゾーンに分割し、個々のゾーン（分割領域）において、上記と同様に、重畳記録されるトラック部分の長さ及び重畳記録されないトラック部分の長さを定めることとしても良い。
この場合、各ゾーン内において、重畳記録が行われたトラック部分と重畳記録が行われていないトラック部分が、スパイラル状の連続したトラックに沿って交互に配置され、
ゾーン内のトラックの重畳記録された部分の各々（１単位の重畳記録されたトラック部分）が、ゾーンの最内周における１周分のトラックよりも短い、一定の長さを有し、
ゾーン内のトラックの重畳記録されていない部分の各々（１単位の重畳記録されていないトラック部分）が、ゾーンの最外周における１周分のトラックよりも長い、一定の長さを有するように設定する。
このような構成であると、各ゾーン内において、重畳記録されたトラック部分に、径方向に隣接するトラック部分は必ず重畳記録されないトラック部分となる。
【００８５】
なお、ゾーン相互間の境界部分には、重畳記録されないトラック部分を配置することで、隣接するゾーン間でも、重畳記録されたトラック部分が互いに径方向に隣接関係となるのを回避することができる。
【００８６】
本実施の形態のＢＤディスクに対応した再生装置、記録装置、再生システム、記録システムは、通常のＢＤディスクに対応した再生装置、記録装置、再生システム、記録システムに、実施の形態１乃至４について述べたのと同様に、副情報を重畳記録する機能或いは副情報を判定し読み取る機能を追加することで実現可能である。
【００８７】
実施の形態６．
実施の形態５でＢｌｕ−ｒａｙについて述べたのと同様のことが、ＤＶＤ規格についても適用可能である。
ＤＶＤ−Ｒ  規格及びＤＶＤ−ＲＯＭ規格では、アクセス単位が、１６物理セクタ（Ｐｈｙｓｉｃａｌ  ｓｅｃｔｏｒｓ）の大きさである。具体的には、３８６８８ｘ１６＝６１９００８チャンネルビットである。１層のＤＶＤ−Ｒディスクでは、１チャンネルビットの長さが、０．１３３μｍであるので、長さは、約８２．３ｍｍである。
【００８８】
ＤＶＤの外形概略とデータ記録領域寸法を図２０に示す。ＤＶＤ−Ｒ規格及びＤＶＤ−ＲＯＭ規格では、データ記録領域ＤＲの最内周ＤＲＩは、直径４８ｍｍであるので、１周の長さは、約１５０．８ｍｍである。データ記録領域ＤＲの最外周ＤＲＯは、直径１１６ｍｍであるので、１周の長さは、約３６４．４ｍｍである。従って、図１９を参照して説明したように、重畳記録するトラック部分と重畳記録しないトラック部分を交互に配置し、重畳記録するトラック部分の各々（１単位の重畳記録するトラック部分）をデータ記録領域ＤＲの最内周ＤＲＩの円周よりも短い、一定の長さに設定し、重畳記録しないトラック部分の各々（１単位の重畳記録しないトラック部分）をデータ記録領域ＤＲの最外周ＤＲＯの円周よりも長い、一定の長さに設定すれば、重畳記録するトラック部分にディスクの径方向に隣接するトラック部分は必ず重畳記録しないトラック部分になる。
【００８９】
さらに、重畳記録するトラック部分２の長さを６１９００８チャンネルビットの１倍に相当する約８２．３ｍｍとし、重畳記録しないトラック部分３の長さを６１９００８チャンネルビットの５倍に相当する約４１１．６ｍｍとし、交互に配置する。これにより、重畳記録するトラック部分２に、径方向の外側及び内側に隣接する両トラック部分はともに重畳記録しないトラック部分３となり、しかも光ディスク規格に規定されたアクセス単位の整数倍となる長さに設定されるので、光ディスクへのアクセスも容易となる上、アクセス単位と関連付けた重畳記録が実現できる。
【００９０】
さらにこの例では、１単位の重畳記録するトラック部分２の長さと１単位の重畳記録しないトラック部分３の長さの和は、アクセス単位の６倍に相当する。１単位の重畳記録しないトラック部分の長さを６１９００８チャンネルビットの７倍に相当する約５７６．３ｍｍと設定すると、１単位の重畳記録するトラック部分２の長さと１単位の重畳記録しないトラック部分３の長さの和は、アクセス単位の８（２の３乗）倍に相当する。このようにすれば、重畳記録するトラック部分２の先頭位置のアドレス、或いは重畳記録しないトラック部分３の先頭位置のアドレスの算出が容易となる。なお、アクセス単位の２の３乗倍に限らず、２のｊ乗倍（ｊは整数）とすれば同様の効果が得られる。
【００９１】
また、上記の例は、データ記録領域について示したが、他の記録領域、例えば制御情報領域や付随情報領域についても同様の考え方で重畳記録可能である。
【００９２】
さらにまた、実施の形態５に関して述べたように、データ記録領域を半径方向に複数のゾーンに分割し、個々のゾーン（分割領域）において、上記と同様に、重畳記録されるトラック部分の長さ及び重畳記録されないトラック部分の長さを定めることとしても良い。
【００９３】
本実施の形態のＤＶＤに対応した再生装置、記録装置、再生システム、記録システムは、通常のＤＶＤに対応した再生装置、記録装置、再生システム、記録システムに、実施の形態１乃至５について述べたのと同様に、副情報を重畳記録する機能或いは副情報を判定し読み取る機能を追加することで実現可能である。
【００９４】
実施の形態７．
実施の形態５及び実施の形態６で述べたのと同様のことが、ＨＤ  ＤＶＤ規格についても適用可能である。
ＨＤ  ＤＶＤ−Ｒ規格及びＨＤ  ＤＶＤ−ＲＯＭ規格では、アクセス物理単位が、３２物値セクタ（Ｐｈｙｓｉｃａｌ  ｓｅｃｔｏｒｓ）の大きさである。具体的には、２９０１６ｘ３２＝９２８５１２チャンネルビットである。１層のＨＤ  ＤＶＤ−Ｒディスクでは、１チャンネルビットの長さが、０．１０２μｍであるので、長さは、約９４．７ｍｍである。
【００９５】
ＤＶＤ  の外形概略とデータ記録領域寸法を図２１に示す。ＨＤ−ＤＶＤでは、データ記録領域ＤＲの最内周ＤＲＩは、直径４８．１ｍｍであるので、１周の長さは、約１５１．１ｍｍである。データ記録領域の最外周は、直径１１６ｍｍであるので、１周の長さは、約３６４．４ｍｍである。従って、図１９を参照して説明したように、重畳記録するトラック部分と重畳記録しないトラック部分を交互に配置し、重畳記録するトラック部分の各々（１単位の重畳記録するトラック部分）さをデータ記録領域ＤＲの最内周ＤＲＩの円周よりも短い、一定の長さに設定し、重畳記録しないトラック部分の各々（１単位の重畳記録しないトラック部分）をデータ記録領域ＤＲの最外周ＤＲＯの円周よりも長い、一定の長さに設定すれば、重畳記録するトラック部分２にディスクの径方向に隣接するトラック部分は必ず重畳記録しないトラック部分３になる。
【００９６】
さらに、重畳記録するトラック部分２の長さを９２８５１２チャンネルビットの１倍に相当する約９４．７ｍｍとし、重畳記録しないトラック部分３の長さを９２８５１２チャンネルビットの４倍に相当する約３７８．８ｍｍとし、交互に配置する。これにより、重畳記録するトラック部分２に、径方向の外側及び内側に隣接する両トラック部分はともに重畳記録しない部分３となり、しかも光ディスク規格に規定されたアクセス単位の整数倍となる長さに設定されるので、光ディスクへのアクセスも容易となる上、アクセス単位と関連付けた重畳記録が実現できる。
【００９７】
さらにこの例では、１単位の重畳記録するトラック部分２と１単位の重畳記録しないトラック部分３の長さの和は、アクセス単位の５倍に相当する。１単位の重畳記録しないトラック部分２の長さを９２８５１２チャンネルビットの７倍に相当する約６６３．０ｍｍと設定すると、１単位の重畳記録するトラック部分２の長さと１単位の重畳記録しないトラック部分３の長さの和は、アクセス単位の８（２の３乗）倍に相当する。このようにすれば、重畳記録するトラック部分の先頭位置のアドレス、或いは重畳記録しないトラック部分の先頭位置のアドレスの算出が容易となる。なお、アクセス単位の２の３乗倍に限らず、２のｊ乗倍（ｊは整数）とすれば同様の効果が得られる。
【００９８】
また、上記の例は、データ記録領域について示したが、他の記録領域、例えば制御情報領域や付随情報領域についても同様の考え方で重畳記録可能である。
【００９９】
さらにまた、実施の形態５に関して述べたように、データ記録領域を半径方向に複数のゾーンに分割し、個々のゾーン（分割領域）において、上記と同様に、重畳記録されるトラック部分の長さ及び重畳記録されないトラック部分の長さを定めることとしても良い。
【０１００】
本実施の形態のＨＤ  ＤＶＤに対応した再生装置、記録装置、再生システム、記録システムは、通常のＨＤ  ＤＶＤに対応した再生装置、記録装置、再生システム、記録システムに、実施の形態１乃至６について述べたのと同様に、副情報を重畳記録する機能或いは副情報を判定し読み取る機能を追加することで実現可能である。
【図面の簡単な説明】
【０１０１】
【図１】本発明の実施の形態１による光ディスクのトラックにおける重畳記録パターンの一例を示す図である。
【図２】図１の部分拡大図である。
【図３】重畳記録パターンの異なる例を示す。
【図４】重畳記録パターンのさらに他の例を示す。
【図５】図４のように１トラックおきに重畳記録を行った光ディスクの全体的構成を概略的に示す。
【図６】重畳記録パターンのさらに他の例を示す。
【図７】重畳記録パターンのさらに他の例を示す。
【図８】重畳記録パターンのさらに他の例を示す。
【図９】重畳記録パターンのさらに他の例を示す。
【図１０】実施の形態１の光ディスクに対応した再生装置の一例を概略的に示す図である。
【図１１】（ａ）乃至（ｄ）は、光ディスク上のピット及び突出部を含むトラック部分、及び該トラック部分から読み出された信号を示す図である。
【図１２】本発明の実施の形態２による光ディスクの概略図である。
【図１３】本発明の実施の形態３による光ディスクの断面構造を概略的に示す図である。
【図１４】（ａ）及び（ｂ）は、実施の形態３による記録マークを示す概略平面図及び断面図である。
【図１５】実施の形態３の光ディスクの記録に用いうる記録装置の一例を示す図である。
【図１６】本発明の実施の形態４による光ディスクの断面構造を概略的に示す図である。
【図１７】（ａ）、（ｂ）及び（ｃ）は、実施の形態４による記録マークを示す概略平面図及び断面図である。
【図１８】本発明の実施の形態５による光ディスクにおける重畳記録するトラック部分と重畳記録しないトラック部分の寸法を示す図である。
【図１９】本発明の実施の形態５、６、７による光ディスクの、重畳記録するトラック部分と重畳記録しないトラック部分の配置を概略的に示す図である。
【図２０】本発明の実施の形態６による光ディスクにおける重畳記録するトラック部分と重畳記録しないトラック部分の寸法を示す図である。
【図２１】本発明の実施の形態７による光ディスクにおける重畳記録するトラック部分と重畳記録しないトラック部分の寸法を示す図である。
【符号の説明】
【０１０２】
１  重畳パターン、  ２  重畳記録するトラック部分、  ３  重畳記録しないトラック部分、  ４  レーザー光入射側、  ５  透明基板、  ６  グルーブ、  ７  色素層、  ８  反射層、  ９  保護層、  １０  透明基板、  １１  接着層、  １２  カバー層、  １３  ランド。
【図１】
2009187620.tif 000003
【図２】
2009187620.tif 000004
【図３】
2009187620.tif 000005
【図４】
2009187620.tif 000006
【図５】
2009187620.tif 000007
【図６】
2009187620.tif 000008
【図７】
2009187620.tif 000009
【図８】
2009187620.tif 000010
【図９】
2009187620.tif 000011
【図１０】
2009187620.tif 000012
【図１１】
2009187620.tif 000013
【図１２】
2009187620.tif 000014
【図１３】
2009187620.tif 000015
【図１４】
2009187620.tif 000016
【図１５】
2009187620.tif 000017
【図１６】
2009187620.tif 000018
【図１７】
2009187620.tif 000019
【図１８】
2009187620.tif 000020
【図１９】
2009187620.tif 000021
【図２０】
2009187620.tif 000022
【図２１】
2009187620.tif 000023